(57)【要約】【課題】大型画面（液晶テレビ等）による動画像による広告ではなく、通行人や車内等における乗客の注目度を高め、広告コストを廉価とし、広告情報の内容更新も簡便に行うことが可能な屋外・交通広告装置を提供することである。【解決手段】屋外・交通広告装置は、静止画像、文字情報及び音声情報からなる広告情報を蓄積した蓄積手段（１０）、広告情報を表示又は／及びアナウンスする情報告知手段（２０）、広告情報を表示又はアナウンスする操作手段（３０）、広告情報を告知する時間帯、各情報の告知間隔、告知時間及び告知回数等を制御する制御手段（４０）を備え、蓄積手段及び情報告知手段を収納するケーシング（５０）又は／及びフレーム（５１）からなる。【選択図】図１
2015146010.tif 000002
【特許請求の範囲】
【請求項１】
広告内容に関する静止画像、文字情報及び音声情報を蓄積した蓄積手段（１０）と、前記静止画像、文字情報及び音声情報を表示又は／及びアナウンスする情報告知手段（２０）と、前記静止画像、文字情報及び音声情報を表示又はアナウンスする操作手段（３０）と、前記静止画像、文字情報及び音声情報を告知する時間帯、各情報の告知間隔、告知時間及び告知回数等を制御する制御手段（４０）を備え、前記蓄積手段及び情報告知手段を収納するケーシング（５０）又は／及びフレーム（５１）からなる、ことを特徴とする屋外・交通広告装置（１００）。
【請求項２】
前記情報告知手段（２０）が薄厚、軽量で低消費電力の可撓性を有する液晶ディスプレイ（２１）と、音声を録音したレコーダ（２２）と、マイク（３２）、スピーカ（２３）及びＬＥＤからなる、ことを特徴とする請求項１に記載の屋外・交通広告装置（１００）。
【請求項３】
前記静止画像及び文字情報が前記液晶ディスプレイ（２１）に表示されるとき、当該静止画像及び文字情報に適合する音楽又は／及びアナウンスが、前記ケーシング（５０）又はフレーム（５１）に取り付けられたスピーカ（２３）から流れると共に、前記ＬＥＤが点灯又は点滅する、ことを特徴とする請求項１又は請求項２に記載の屋外・交通広告装置（１００）。
【請求項４】
前記液晶ディスプレイ（２１）、スピーカ（２３）及び蓄積手段（１０）を収納するケーシング（５０）又は／及びフレーム（５１）は、撥水加工及び／又は防塵加工されている、ことを特徴とする請求項１〜請求項３の何れかに記載の屋外・交通広告装置（１００）。
【請求項５】
前記屋外・交通広告装置（１００）を装着する広告媒体が、屋上広告、壁面広告、集合看板、ポスターパネル広告、電柱広告、ポール、置き看板、野立広告、懸垂幕、のぼり、パラソル等の屋外媒体であり、また電車、バス内の中吊広告又は／及び額面広告、電車、バス、貨物車両、乗用車、船舶及び航空機の外装板等の交通媒体である、ことを特徴とする請求項１〜請求項４の何れかに記載の屋外・交通広告装置（１００）。
【発明の詳細な説明】
【技術分野】
【０００１】本願発明は、屋外・交通広告装置に関し、より詳しくは、屋上広告、壁面広告、集合看板等の屋外広告や、電車、バス等内の中吊広告や額面広告等の交通広告装置に関する。
【背景技術】
【０００２】従来からの屋外における広告情報は、一般的に文字情報とパネル写真等を所定のフレームで囲繞するか又は広告媒体に貼付してなり、ほぼすべての文字情報とパネル写真等は静止されたままの状態であり、夜間は、前記の文字情報とパネル写真等に照明を当てるか、又は広告媒体内の照明を点灯させて歩行者に注目されるようにしている。また電車、バス内等の中吊広告や額面広告等における広告情報も文字情報と絵柄を印刷したポスター等からなり、当該ポスター等を屋外広告と同様に所定のフレームで囲繞するか、水平状挟着板に掛吊し、所定の期間告知している。中吊広告は、短期間、例えば３日〜６日毎に多数の作業員により取り替えられ、額面広告は、印刷されたポスター等を所定のフレームで囲繞してなり、中吊広告に比べてかなり、長期間広告されている。しかし、上記のように広告情報が固定（静止）されたままの状態、又は特許文献１（第１頁、図３参照）のように単に広告板を固定型の電柱に巻き付けたものや、特許文献２（第１頁、図３参照）のように大型の広告装置にあっても、広告情報が固定（静止）されたままの状態では、注目度は低いので、広告効果は極めて薄弱であるという欠点がある。また都市部における街頭等においては、大型画面（液晶テレビ等）による動画像と音声による広告が行われているが、広告費が高額になるという不具合がある。さらに、従来の屋外広告媒体等におけるスポンサーの変更等に伴う広告情報の改訂等を行う場合、その取替・変更工事には時間がかかり、また建造物の壁面広告や集合看板の取り外し、取り付けにはクレーン車等を必要とし、かつ危険を伴う。また工事期間中は、広告を中止しなければならないという不都合がある。【０００３】本願発明は、上記のような従来技術が有する諸問題に鑑み、鋭意検討を重ねて本願発明を創案した。
【先行技術文献】
【特許文献】
【０００４】
【特許文献１】実用新案登録３１１２１５２号公報
【特許文献２】特開２００７−３２８１７６号公報
【発明の概要】
【発明が解決しようとする課題】
【０００５】本発明は、上記従来技術の欠点や不具合等を解消するものであり、その課題は以下の通りである。
○本発明が解決しようとする第１課題
本発明が解決しようとする第１課題は、大型画面（液晶テレビ等）による動画像による広告ではなく、歩行者や車内等における乗客の注目度と印象度を一層高め、広告コストを廉価とし、広告情報の内容更新も簡便かつ安全に行うことが可能な屋外・交通広告装置を提供することにある。
○本発明が解決しようとする第２課題
本発明が解決しようとする第２課題は、短工期での設置や取替が可能で、塵埃や風雨等への耐候性、耐久性の高い屋外・交通広告装置を提供することにある。
【課題を解決するための手段】
【０００６】課題を解決するための手段は、本願の特許請求の範囲の各請求項に記載の発明であり、その具体的な解決手段は、以下の通りである。
○第１の発明（請求項１に記載の発明）
上記の課題を解決するための第１の発明（請求項１に記載の発明）は、
広告内容に関する静止画像、文字情報及び音声情報を蓄積した蓄積手段（１０）と、前記静止画像、文字情報及び音声情報を表示又は／及びアナウンスする情報告知手段（２０）と、前記静止画像、文字情報及び音声情報を表示又はアナウンスする操作手段（３０）と、前記静止画像、文字情報及び音声情報を告知する時間帯、各情報の告知間隔、告知時間及び告知回数等を制御する制御手段（４０）を備え、前記蓄積手段及び情報告知手段を収納するケーシング（５０）又は／及びフレーム（５１）からなる、ことを特徴としている。
○第２の発明（請求項２に記載の発明）
上記の課題を解決するための第２の発明（請求項２に記載の発明）は、
前記情報告知手段（２０）が薄厚、軽量で低消費電力の可撓性を有する液晶ディスプレイ（２１）と、音声を録音したレコーダ（２２）と、マイク（３２）、スピーカ（２３）及びＬＥＤからなる、ことを特徴としている。
○第３の発明（請求項３に記載の発明）
上記の課題を解決するための第３の発明（請求項３に記載の発明）は、
前記静止画像及び文字情報が前記液晶ディスプレイ（２１）に表示されるとき、当該静止画像及び文字情報に適合する音楽又は／及びアナウンスが、前記ケーシング（５０）又はフレーム（５１）に取り付けられたスピーカ（２３）から流れると共に、前記ＬＥＤが点灯又は点滅する、ことを特徴としている。
○第４の発明（請求項４に記載の発明）
上記の課題を解決するための第４の発明（請求項４に記載の発明）は、
前記液晶ディスプレイ（２１）、スピーカ（２３）及び蓄積手段（１０）を収納するケーシング（５０）又は／及びフレーム（５１）は、撥水加工及び／又は防塵加工されている、ことを特徴としている。
○第５の発明（請求項５に記載の発明）
上記の課題を解決するための第５の発明（請求項５に記載の発明）は、
前記屋外・交通広告装置（１００）を装着する広告媒体が、屋上広告、壁面広告、集合看板、ポスターパネル広告、電柱広告、ポール、置き看板、野立広告、懸垂幕、のぼり、パラソル等の屋外媒体であり、また電車、バス内の中吊広告又は／及び額面広告、電車、バス、貨物車両、乗用車、船舶及び航空機の外装板等の交通媒体である、ことを特徴としている。
【発明の効果】
【０００７】本願発明に係る、屋外・交通広告装置は、上記のような特徴的構成用件から構成され、特徴的構成要件に応じた、以下のような本願発明特有の効果を奏する。また、上記の各発明に応じた、上記のような特徴的構成要件から構成された屋外・交通広告装置によれば、本願発明の課題を十分解消することができた。
○第１の発明の効果
第１の発明によれば、
広告内容に関する静止画像、文字情報及び音声情報を蓄積した蓄積手段（１０）と、前記静止画像、文字情報及び音声情報を表示又は／及びアナウンスする情報告知手段（２０）と、前記静止画像、文字情報及び音声情報を表示又はアナウンスする操作手段（３０）と、前記静止画像、文字情報及び音声情報を告知する時間帯、各情報の告知間隔、告知時間及び告知回数等を制御する制御手段（４０）を備え、前記蓄積手段及び情報告知手段を収納するケーシング（５０）又は／及びフレーム（５１）からなる、という特徴的な構成要件により、大型画面（液晶テレビ等）による動画像による広告ではなく、歩行者や車内等における乗客の注目度と印象度を一層高め、広告コストを廉価とし、広告情報の内容更新も簡便かつ安全に行うことが可能な屋外・交通広告装置の提供という、第１の課題と、短工期での設置や取替が可能で、塵埃や風雨等への耐候性、耐久性の高い屋外・交通広告装置の提供という第２の課題を達成することができ、当業者予測不可能な顕著な効果を奏することができた。【０００８】○第２の発明の効果
第２の発明によれば、
前記情報告知手段（２０）が薄厚、軽量で低消費電力の可撓性を有する液晶ディスプレイ（２１）と、音声を録音したレコーダ（２２）と、マイク（３２）、スピーカ（２３）及びＬＥＤからなる、という特徴的な構成要件により、大型画面（液晶テレビ等）による動画像による広告ではなく、歩行者や車内等における乗客の注目度と印象度を一層高め、広告コストを廉価とし、広告情報の内容更新も簡便かつ安全に行うことが可能な屋外・交通広告装置の提供という、第１の課題と、短工期での設置や取替が可能で、塵埃や風雨等への耐候性、耐久性の高い屋外・交通広告装置の提供という第２の課題を達成することができ、当業者予測不可能な顕著な効果を奏することができた。【０００９】○第３の発明の効果
第３の発明によれば、
前記静止画像及び文字情報が前記液晶ディスプレイ（２１）に表示されるとき、当該静止画像及び文字情報に適合する音楽又は／及びアナウンスが、前記ケーシング（５０）又はフレーム（５１）に取り付けられたスピーカ（２３）から流れると共に、前記ＬＥＤが点灯又は点滅する、という特徴的な構成要件により、大型画面（液晶テレビ等）による動画像による広告ではなく、歩行者や車内等における乗客の注目度と印象度を一層高め、広告コストを廉価とし、広告情報の内容更新も簡便かつ安全に行うことが可能な屋外・交通広告装置の提供という、第１の課題と、短工期での設置や取替が可能で、塵埃や風雨等への耐候性、耐久性の高い屋外・交通広告装置の提供という第２の課題を達成することができ、当業者予測不可能な顕著な効果を奏することができた。【００１０】○第４の発明の効果
第４の発明によれば、
前記液晶ディスプレイ（２１）、スピーカ（２３）及び蓄積手段（１０）を収納するケーシング（５０）又は／及びフレーム（５１）は、撥水加工及び／又は防塵加工されている、という特徴的な構成要件により、大型画面（液晶テレビ等）による動画像による広告ではなく、歩行者や車内等における乗客の注目度と印象度を一層高め、広告コストを廉価とし、広告情報の内容更新も簡便かつ安全に行うことが可能な屋外・交通広告装置の提供という、第１の課題と、短工期での設置や取替が可能で、塵埃や風雨等への耐候性、耐久性の高い屋外・交通広告装置の提供という第２の課題を達成することができ、当業者予測不可能な顕著な効果を奏することができた。【００１１】○第５の発明の効果
第５の発明によれば、
前記屋外・交通広告装置（１００）を装着する広告媒体が、屋上広告、壁面広告、集合看板、ポスターパネル広告、電柱広告、ポール、置き看板、野立広告、懸垂幕、のぼり、パラソル等の屋外媒体であり、また電車、バス内の中吊広告又は／及び額面広告、電車、バス、貨物車両、乗用車、船舶及び航空機の外装板等の交通媒体である、という特徴的な構成要件により、大型画面（液晶テレビ等）による動画像による広告ではなく、歩行者や車内等における乗客の注目度と印象度を一層高め、広告コストを廉価とし、広告情報の内容更新も簡便かつ安全に行うことが可能な屋外・交通広告装置の提供という、第１の課題と、短工期での設置や取替が可能で、塵埃や風雨等への耐候性、耐久性の高い屋外・交通広告装置の提供という第２の課題を達成することができ、当業者予測不可能な顕著な効果を奏することができた。
【発明を実施するための形態】
【００１２】以下、本願発明に係る、屋外・交通広告装置に関する実施形態について、添付の図面を参照しながら説明する。
図１は、本願発明に係る、屋外・交通広告装置における実施形態の概要を示す模式図である。
図２は、同動作の流れを説明するフローチャートである。
図３は、屋外広告における集合看板の正面図である。
図４は、同上円筒ポールの斜視図である。
図５は、同上のぼりの正面図である。
図６は、同上パラソルの斜視図である。
図７は、交通機関における中吊広告の正面図である。
【００１３】本願発明における、屋外・交通広告装置（１００）は、図１に示すように蓄積手段（１０）、情報告知手段（２０）、操作手段（３０）、制御手段（４０）及びケーシング（５０）又は／及びフレーム（５１）からなっている。蓄積手段（１０）には、スポンサー等が選定した静止画像、文字情報及び音声情報がＳＤメモリカード（ＳＤ）等のデータ収納機器に蓄積されている。情報告知手段（２０）は、薄厚、軽量で低消費電力の可撓性を有する液晶ディスプレイ（２１）とスピーカ（２２）及びＬＥＤからなっている。操作手段（３０）における主たる機器は、パソコン（ＰＣ）で、蓄積手段（１０）に蓄積された静止画像、文字情報及び音声情報を、情報告知手段（２０）である液晶ディスプレイ（２１）に表示したり、レコーダ（３１）に収録された音楽や音声をスピーカ（２２）で流したり、マイク（３２）で直接に店員や従業員等がアナウンスできるようになっている。
また、音声がアナウンスされるとき、又はそれ以外のときケーシング（５０）又はフレーム（５１）に取り付けられた１〜複数のＬＥＤが、制御手段（４０）であるコントローラによって点灯したり点滅するようになっている。その他に制御手段（４０）は、静止画像、文字情報及び音声情報を告知する時間帯を決めたり、各情報の告知間隔の設定、告知時間及び告知回数等を制御し、かつ液晶ディスプレイ（２１）の輝度（明るさ）を調整することができる。ケーシング（５０）及びフレーム（５１）は、蓄積手段（１０）及び情報告知手段（２０）を収納すると共に、液晶ディスプレイ（２１）の周縁部を囲繞するものである。
【００１４】図２は、本発明における、屋外・交通広告装置における動作の流れを説明するフローチャートである。
（Ｓ１）は、静止画像、文字情報及び音声情報（以下、広告情報という）の選定工程である。広告会社は、スポンサーが持ち込むか広告会社が撮影したり、作成した写真（静止画像）や文字情報の中から最適と思われるものを複数選定する工程である。
（Ｓ２）は、広告情報の編集工程である。広告会社は、ステップ（Ｓ１）で選定した広告情報の組み合わせや静止画像や文字情報に適合する音楽を選曲し、必要ならば音声情報を挿入し、広告情報の告知順序等を編集する工程である。
（Ｓ３）は、広告情報の蓄積工程である。編集工程ステップ（Ｓ２）で編集された広告情報を告知順序にそってＳＤメモリカード（ＳＤ）等に入力し、ケーシング（５０）又はフレーム（５１）に装着する工程である。
（Ｓ４）は、広告情報の告知工程である。各種広告媒体に設置された液晶ディスプレイ（２１）、スピーカ（２２）及びＬＥＤ等により、パソコン（ＰＣ）やコントローラ（４０）によって設定された時間になれば、操作手段（３０）に設定された起動スイッチ（図示しない）がＯＮになり、編集工程（Ｓ２）で編集された広告情報を告知順序にそって液晶ディスプレイ（２１）に表示され、広告情報に適合した音楽が流れ、かつ広告情報に関連の音声（例えば、商品説明やサービスの紹介等）が流れる。また広告情報に関連する音声は、設定された音声とは別に、店員や従業員等が直接にマイク（３２）を介して、随時、店内状況の説明や商品の説明、催しものの案内等をアナウンスして集客できるようになっている。そしてアナウンスと同時に、又はそれ以外の時にもケーシング（５０）又はフレーム（５１）に配設されたＬＥＤが点灯又は点滅するようになっており、歩行者は一瞬立ち止まり、液晶ディスプレイ（２１）を注目し、その広告情報は、歩行者に強く印象づけられる。
（Ｓ５）は、広告情報の制御工程である。広告情報は、歩行者の通行状況により告知する時間帯を決めたり、各情報における告知間隔を設定したり、ＬＥＤの点灯・点滅や、液晶ディスプレイ（２１）の輝度（明るさ）の調整、告知時間及び告知回数等をパソコン（ＰＣ）とコントローラ（４０）を起動させて自動設定する工程である。
（Ｓ６）は、広告情報の告知終了工程である。パソコン（ＰＣ）とコントローラ（４０）により設定した告知終了の時刻になれば、自動的に液晶ディスプレイ（２１）や、音声情報はＯＦＦとなり、告知は終了する。
【００１５】図３は、屋外広告における集合看板６１を示している。集合看板６１は、都市部に多く見られるテナントビル（ＢＬ）等の側壁面等に突設されるもので、（イ）は、その正面図で、Ａ〜Ｅはテナントビル（ＢＬ）に入居しているテナントで、例えば、スナックやバー等の飲食店で、大きな枠内（６１Ｆ）にそれぞれ区分されて店舗名が表示されている。（ロ）は、図３（イ）の一部拡大正面図である。液晶ディスプレイ（２１）には、店舗名Ａの文字情報○○○が表示され、店内のレイアウトや店のスタッフの静止画像が順次、投影される。また静止画像や文字情報が変化すると共に、その画像等に適合する音楽が、フレーム（５１）に装備されたスピーカ（２２）から流れる。さらにスタッフによる店内状況や集客のアナウンスが流れると同時に、フレーム（５１）に配設されたＬＥＤが点灯又は点滅するので、歩行者は立ち止まって看板に注目し集客効果を発揮することができる。また、ＬＥＤの点灯・点滅に呼応して、Ａ店以外のＢ〜Ｅ店の液晶ディスプレイ（２１）の輝度（明るさ）は一時的に暗転するように設定されている。そして所定の時間後にＢ店のＬＥＤが点灯又は点滅すれば、Ｂ店以外のＡ、Ｃ〜Ｅ各店の液晶ディスプレイ（２１）の輝度（明るさ）は一時的に暗転する。同様にＣ〜Ｅ、ＡそしてＢと順番にくり返される。上記の画像の変化や音楽、ＬＥＤの点灯等及び液晶ディスプレイ（２１）の輝度（明るさ）調整等は、テナントビル（ＢＬ）内又は他の場所に配置されたパソコン（ＰＣ）やコントローラ（４０）（制御手段）によって自動制御される。
【００１６】図４は、円筒ポール（６２）の外周面に薄厚、軽量で低消費電力の可撓性を有する液晶ディスプレイ（２１）を、フレーム（５１）に収納して、静止画像や文字情報を順次変換して投影するものである。フレーム（５１）には複数のＬＥＤが配設され、またフレーム（５１）の中間に設置されたスピーカ（２２）からは音楽と共に広告会社の従業員又は店員等が、マイク（３２）を用いてアナウンスする音声が流れると同時に、ＬＥＤは点灯又は点滅するので、歩行者は、円筒ポール（６２）の前で立ち止まり看板の広告情報に注目する。液晶ディスプレイ（２１）の静止画像等や音楽、ＬＥＤの点灯等は、円筒状ポール（６２）から他の場所に配置されたパソコン（ＰＣ）やコントローラ（４０）（制御手段）によって自動制御される。
【００１７】図５は、のぼり（６３）を広告媒体としたものである。  従来におけるのぼり広告は、布体に店名や商品名等の文字情報と絵柄をプリントしたものを、立支柱と横桟に取り付けているが、風雨にさらされたままの状態であり、歩行者や車のドライバー等がこれを見れば、その店等に立ち寄ろうという気になれないし、むしろ、広告内容の商品やサービス等にマイナスイメージを与えている。本願発明におけるのぼり（６３）は、液晶ディスプレイ（２１）とこれを囲繞するフレーム（５１）、スピーカ（２２）、複数のＬＥＤ等を立支柱（６３ａ）と水平桟（６３ｂ）に取り付けて、シンプルかつスマートとにし、液晶ディスプレイ（２１）は両面に設け、画像等の変化とＬＥＤの点滅により広告効果は高められる。また液晶ディスプレイ（２１）等は、防水、防塵加工されているので耐用期間を長くすることができる。
【００１８】図６は、パラソル（６４）を広告媒体としたものである。例えば、ビーチパラソルは、海岸等における強い日光を遮蔽する目的のものであり、従来よりこれを広告媒体とはされていなかった。本願発明は、薄厚、軽量で低消費電力の可撓性を有する液晶ディスプレイ（２１）に着目したものであり、フレーム（５１）で囲繞した液晶ディスプレイ（２１）に静止画像と文字情報に適合する音楽を流し、かつ関係者がマイク（３２）を使って音声をスピーカ（２２）によってアナウンスして集客することができる。
【００１９】図７は、電車、バス等の交通機関における中吊広告（６５）を示している。電車等の交通機関においては、額面広告と共に中吊広告が行われている。従来の中吊広告は、広告情報を印刷したＡ３版サイズの二枚の紙面を天井に取り付けた横桟で挟着している。しかし乗客は、一部の人を除きほとんどがこれを注目することがなく、広告効果は、極めて弱いというのが現状である。本願発明は、液晶ディスプレイ（２１）やコントローラ（４０）により、静止画像と文字情報を所定時間毎に変化させることができ、かつ、音楽やＬＥＤ等により乗客の注目度と印象度を高めることができる。
【産業上の利用分野】
【００２０】本願発明における、屋外・交通広告装置（１００）は、上述した、集合看板（６１）、円筒ポール（６２）、のぼり（６３）、パラソル（６４）及び中吊広告（６５）の他、壁面広告、ポスターパネル広告、電柱広告、置き看板、野立広告、懸垂幕や、電車、バス、貨物車両、乗用車、船舶及び航空機の外装板等に幅広く利用できる汎用性ある有意義な発明である。
【図面の簡単な説明】
【００２１】
【図１】本発明に係る、屋外・交通広告装置における実施形態の概要を示す模式図である。
【図２】同動作の流れを説明するフローチャートである。
【図３】屋外広告における集合看板の正面図である。
【図４】同上円筒ポールの一部切欠正面図である。
【図５】同上のぼりの一部切欠正面図である。
【図６】同上パラソルの斜視図である。
【図７】交通広告における中吊広告の一部切欠正面図である。
【符号の説明】
【００２２】１００…屋外・交通広告装置  １０…蓄積手段  ２０…情報告知手段  ２１…液晶ディスプレイ  ２２…スピーカ  ３０…操作手段  Ｐ…パソコン  ３１…レコーダ  ３２…マイク  ４０…制御手段  ５０…ケーシング  ５１…フレーム
【図１】
2015146010.tif 000003
【図２】
2015146010.tif 000004
【図３】
2015146010.tif 000005
【図４】
2015146010.tif 000006
【図５】
2015146010.tif 000007
【図６】
2015146010.tif 000008
【図７】
2015146010.tif 000009
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
広告内容に関する静止画像、文字情報及び音声情報を蓄積した蓄積手段（１０）と、前記静止画像、文字情報及び音声情報を表示又は／及びアナウンスする情報告知手段（２０）と、操作手段（３０）と、前記静止画像、文字情報及び音声情報を告知する時間帯、各情報の告知間隔、告知時間及び告知回数等を制御する制御手段（４０）を備え、前記蓄積手段及び情報告知手段を収納するケーシング（５０）又は／及びフレーム（５１）からなり、前記ケーシング（５０）又は／及びフレーム（５１）は、液晶ディスプレイ（２１）の周縁部を囲繞するものであり、
前記操作手段（３０）におけるパソコン（ＰＣ）で、前記蓄積手段（１０）に蓄積された静止画像、文字情報及び音声情報を、前記情報告知手段（２０）である液晶ディスプレイ（２１）に表示したりし、レコーダ（３１）に収録された音楽や音声をスピーカ（２２）で流したりすると共に、
前記静止画像及び文字情報が前記液晶ディスプレイ（２１）に表示されるとき、当該静止画像及び文字情報に適合する音楽又は／及びアナウンスが、前記フレーム（５１）に取り付けられたスピーカ（２３）から流れると共に、フレーム（５１）に取り付けられたＬＥＤが点灯又は点滅する、ことを特徴とする屋外・交通広告装置（１００）。
【請求項２】
前記情報告知手段（２０）が可撓性を有する液晶ディスプレイ（２１）と、音声を録音したレコーダ（２２）と、マイク（３２）、スピーカ（２３）及びＬＥＤからなる、ことを特徴とする請求項１に記載の屋外・交通広告装置（１００）。
【請求項３】
前記操作手段（３０）に設定された起動スイッチがＯＮになり、編集工程（Ｓ２）で編集された広告情報を告知順序にそって液晶ディスプレイ（２１）に表示され、広告情報に適合した音楽が流れ、かつ広告情報に関連の音声（例えば、商品説明やサービスの紹介等）が流れる、ことを特徴とする請求項１又は請求項２に記載の屋外・交通広告装置（１００）。
【請求項４】
前記液晶ディスプレイ（２１）、スピーカ（２３）及び蓄積手段（１０）を収納するケーシング（５０）又は／及びフレーム（５１）は、撥水加工及び／又は防塵加工されている、ことを特徴とする請求項１〜請求項３の何れかに記載の屋外・交通広告装置（１００）。
【請求項５】
前記屋外・交通広告装置（１００）を装着する広告媒体が、屋上広告、壁面広告、集合看板、ポスターパネル広告、電柱広告、ポール、置き看板、野立広告、懸垂幕、のぼり、パラソル等の屋外媒体であり、また電車、バス内の中吊広告又は／及び額面広告、電車、バス、貨物車両、乗用車、船舶及び航空機の外装板等の交通媒体である、ことを特徴とする請求項１〜請求項４の何れかに記載の屋外・交通広告装置（１００）。
【手続補正２】
【補正対象書類名】明細書
【補正対象項目名】０００６
【補正方法】変更
【補正の内容】
【０００６】
課題を解決するための手段は、本願の特許請求の範囲の各請求項に記載の発明であり、その具体的な解決手段は、以下の通りである。
ここに、最初の拒絶理由通知書に対して、手続補正書により補正を行ったが、請求項のみの減縮補正を行った。
補正後の本願明細書に記載の請求項１〜５は、補正前の旧請求項１〜５を示す。
補正後の請求項１は、旧請求項１を明細書記載の構成要件で減縮した。
補正後の請求項２は、旧請求項２の不明瞭記載部分を削除して明瞭化したものである。
補正後の請求項３は、旧請求項３を明細書記載の他の構成要件で置き換えたものである。
○第１の発明（請求項１に記載の発明）
上記の課題を解決するための第１の発明（請求項１に記載の発明）は、広告内容に関する静止画像、文字情報及び音声情報を蓄積した蓄積手段（１０）と、前記静止画像、文字情報及び音声情報を表示又は／及びアナウンスする情報告知手段（２０）と、前記静止画像、文字情報及び音声情報を表示又はアナウンスする操作手段（３０）と、前記静止画像、文字情報及び音声情報を告知する時間帯、各情報の告知間隔、告知時間及び告知回数等を制御する制御手段（４０）を備え、前記蓄積手段及び情報告知手段を収納するケーシング（５０）又は／及びフレーム（５１）からなる、ことを特徴としている。
○第２の発明（請求項２に記載の発明）
上記の課題を解決するための第２の発明（請求項２に記載の発明）は、前記情報告知手段（２０）が薄厚、軽量で低消費電力の可撓性を有する液晶ディスプレイ（２１）と、音声を録音したレコーダ（２２）と、マイク（３２）、スピーカ（２３）及びＬＥＤからなる、ことを特徴としている。
○第３の発明（請求項３に記載の発明）
上記の課題を解決するための第３の発明（請求項３に記載の発明）は、前記静止画像及び文字情報が前記液晶ディスプレイ（２１）に表示されるとき、当該静止画像及び文字情報に適合する音楽又は／及びアナウンスが、前記ケーシング（５０）又はフレーム（５１）に取り付けられたスピーカ（２３）から流れると共に、前記ＬＥＤが点灯又は点滅する、ことを特徴としている。
○第４の発明（請求項４に記載の発明）
上記の課題を解決するための第４の発明（請求項４に記載の発明）は、前記液晶ディスプレイ（２１）、スピーカ（２３）及び蓄積手段（１０）を収納するケーシング（５０）又は／及びフレーム（５１）は、撥水加工及び／又は防塵加工されている、ことを特徴としている。
○第５の発明（請求項５に記載の発明）
上記の課題を解決するための第５の発明（請求項５に記載の発明）は、前記屋外・交通広告装置（１００）を装着する広告媒体が、屋上広告、壁面広告、集合看板、ポスターパネル広告、電柱広告、ポール、置き看板、野立広告、懸垂幕、のぼり、パラソル等の屋外媒体であり、また電車、バス内の中吊広告又は／及び額面広告、電車、バス、貨物車両、乗用車、船舶及び航空機の外装板等の交通媒体である、ことを特徴としている。
【手続補正書】
【提出日】平成26年12月9日(2014.12.9)
【手続補正１】
【補正対象書類名】特許請求の範囲
【補正対象項目名】請求項３
【補正方法】変更
【補正の内容】
【請求項３】
前記操作手段（３０）に設定された起動スイッチがＯＮになり、編集工程（Ｓ２）で編集された広告情報を告知順序にそって液晶ディスプレイ（２１）に表示される、ことを特徴とする請求項１又は請求項２に記載の屋外・交通広告装置（１００）。
【手続補正２】
【補正対象書類名】明細書
【補正対象項目名】０００６
【補正方法】変更
【補正の内容】
【０００６】
課題を解決するための手段は、本願の特許請求の範囲の各請求項に記載の発明であり、その具体的な解決手段は、以下の通りである。
ここに、最初の拒絶理由通知書に対して、手続補正書により補正を行ったが、請求項のみの減縮補正を行った。
補正後の本願明細書に記載の請求項１〜５は、補正前の旧請求項１〜５を示す。
補正後の請求項１は、旧請求項１を明細書記載の構成要件で減縮した。
補正後の請求項２は、旧請求項２の不明瞭記載部分を削除して明瞭化したものである。
補正後の請求項３は、旧請求項３を明細書記載の他の構成要件で置き換えたものである。さらに、不明瞭記載部分を削除して明瞭化したものである。
○第１の発明（請求項１に記載の発明）
上記の課題を解決するための第１の発明（請求項１に記載の発明）は、広告内容に関する静止画像、文字情報及び音声情報を蓄積した蓄積手段（１０）と、前記静止画像、文字情報及び音声情報を表示又は／及びアナウンスする情報告知手段（２０）と、前記静止画像、文字情報及び音声情報を表示又はアナウンスする操作手段（３０）と、前記静止画像、文字情報及び音声情報を告知する時間帯、各情報の告知間隔、告知時間及び告知回数等を制御する制御手段（４０）を備え、前記蓄積手段及び情報告知手段を収納するケーシング（５０）又は／及びフレーム（５１）からなる、ことを特徴としている。
○第２の発明（請求項２に記載の発明）
上記の課題を解決するための第２の発明（請求項２に記載の発明）は、前記情報告知手段（２０）が薄厚、軽量で低消費電力の可撓性を有する液晶ディスプレイ（２１）と、音声を録音したレコーダ（２２）と、マイク（３２）、スピーカ（２３）及びＬＥＤからなる、ことを特徴としている。
○第３の発明（請求項３に記載の発明）
上記の課題を解決するための第３の発明（請求項３に記載の発明）は、前記静止画像及び文字情報が前記液晶ディスプレイ（２１）に表示されるとき、当該静止画像及び文字情報に適合する音楽又は／及びアナウンスが、前記ケーシング（５０）又はフレーム（５１）に取り付けられたスピーカ（２３）から流れると共に、前記ＬＥＤが点灯又は点滅する、ことを特徴としている。
○第４の発明（請求項４に記載の発明）
上記の課題を解決するための第４の発明（請求項４に記載の発明）は、前記液晶ディスプレイ（２１）、スピーカ（２３）及び蓄積手段（１０）を収納するケーシング（５０）又は／及びフレーム（５１）は、撥水加工及び／又は防塵加工されている、ことを特徴としている。
○第５の発明（請求項５に記載の発明）
上記の課題を解決するための第５の発明（請求項５に記載の発明）は、前記屋外・交通広告装置（１００）を装着する広告媒体が、屋上広告、壁面広告、集合看板、ポスターパネル広告、電柱広告、ポール、置き看板、野立広告、懸垂幕、のぼり、パラソル等の屋外媒体であり、また電車、バス内の中吊広告又は／及び額面広告、電車、バス、貨物車両、乗用車、船舶及び航空機の外装板等の交通媒体である、ことを特徴としている。